(57)【要約】【課題】機械的強度に優れ、時刻表示部を必要に応じて、袖口を捲くることなく、容易に袖口の外に覗かせることができ、安全に時刻を認識できる腕時計を提供する。【解決手段】本発明の腕時計は、時刻表示部を有する時計本体と時計本体を支持するバンドを有し、時計本体がバンドに対して、水平に回転できる腕時計であり、バンドの長手方向と時刻表示部の１２時−６時方向が一致する通常状態と、バンドの長手方向に対して時刻表示部の１２時−６時方向が所定の角度を有する傾斜状態とを有しており、傾斜状態では、時刻表示部の少なくとも一部がバンドの幅方向に突出することを特徴とする。その結果、時刻表示部を袖口を捲り上げずに常時、見ることを可能にし、それ以外は袖口内のバンドの長手方向に直列に設置しておけば手首の動きの妨げとはならず、洋服の着脱の際に袖口に引っ掛かることもなくなる。【選択図】図１
2012211864.tif 000002
【特許請求の範囲】
【請求項１】
時刻表示部を有する時計本体と、前記時計本体を支持するバンドを有する腕時計において、前記時計本体が前記バンドに対して水平に回転して、前記時刻表示部の少なくとも一部が前記バンドの幅方向に突出する状態を有することを特徴とする腕時計。
【請求項２】
前記時計本体と前記バンドとが回転可能な軸を介して結合しており、前記時計本体と前記バンドのどちらか一方に突起を設けるとともに、他方には回転範囲を規定するために前記突起と係合する扇状の溝を設けたことを特徴とする請求項１に記載の腕時計。
【請求項３】
前記回転可能な軸は、前記時刻表示部から外れた位置に設けたことを特徴とする請求項１または２に記載の腕時計。
【請求項４】
前記時計本体が時計ムーブメントを収納するための裏蓋を有し、前記回転可能な軸と前記突起とは前記裏蓋をさけた位置に設けられていることを特徴とする請求項１または２に記載の腕時計。
【請求項５】
前記突起は前記溝の底面に圧接する弾性ピボットであり、前記溝の底面には前記弾性ピボットを位置決めするための凹部を有することを特徴とする請求項１または２に記載の腕時計。
【請求項６】
前記時計本体の表面に、装飾部材を取り付けたことを特徴とする請求項１または２に記載の腕時計。
【請求項７】
前記時計本体の表面に、太陽電池を組み込んだことを特徴とする請求項１または２に記載の腕時計。
【発明の詳細な説明】
【技術分野】
【０００１】
本発明は、時刻を表示する腕時計に関する。
【背景技術】
【０００２】
従来、腕時計は、時刻を表示する時計本体とバンドとからなり、時計本体はバンドに支持されて手首の中央に位置しており、バンドの長手方向に沿って、平行に設置されている。通常、時刻を確認するために、長袖の衣服を身につけている場合には袖口を捲くり上げて時刻表示部を覗かせる動作を必要とする。しかし、場合によっては、この動作が煩わしいものとなったり、瞬時の判断を必要とする際には、間に合わないこともある。そこで、袖口をまくり上げる動作を必要とせず、時刻表示部をあらかじめ袖口から覗かせておき、視線を向けるだけで、容易に見ることの可能な腕時計が特許文献１と特許文献２に提案されている。
【先行技術文献】
【特許文献】
【０００３】
【特許文献１】実開昭５７-８９９７４号公報（第１頁、第１−４図）
【特許文献２】特開平５−２３２２５３号公報（第３頁、第１−３図）
【発明の概要】
【発明が解決しようとする課題】
【０００４】
しかしながら、特許文献１に記載された腕時計では、時刻表示部が、時刻を見る作業時間以外は手首の動きの妨げとなり、洋服の着脱の際には袖が引っ掛かってしまうなどの問題がある。また、特許文献２に記載された腕時計では、必要時以外は時計本体の収納が可能であるが、その際には、袖口を広げる方向に時計本体を移動させるので、結局、時計本体を引き出す際には袖口を捲ることが必要である。また、時計本体に接続した蝶番あるいはスライド式の可動部は機械的強度が劣るため、外部から強い衝撃を受けると容易に時計本体が外れ、損壊してしまう可能性が大きい。
このように、従来の腕時計では、時計本体の時刻表示部をあらかじめ袖口から覗かせておくことが可能な時計もあったが、日常生活をする上で、実用上、不都合な課題を残していた。
【０００５】
本発明は、上記の従来技術の有する問題を鑑みてなされたものであり、機械的強度に優れ、必要に応じて容易に時刻表示部を袖口から外に覗かせることのできる腕時計を提供することを目的とする。
【課題を解決するための手段】
【０００６】
本発明の腕時計は、時刻表示部を有する時計本体と時計本体を支持するバンドを有し、時計本体がバンドに対して、水平に回転できる腕時計であって、バンドの長手方向と時刻表示部の１２時−６時方向が一致する通常状態と、バンドの長手方向に対して時刻表示部の１２時−６時方向が所定の角度を有する傾斜状態とを有しており、傾斜状態では、時刻表示部の少なくとも一部がバンドの幅方向に突出することを特徴とする。
【発明の効果】
【０００７】
本発明によれば、時刻表示部を有した時計本体が扇状に回転移動し、固定できる。従って、必要に応じて時刻表示部を袖口を捲り上げずに容易に覗かせることができ、それ以外は袖口内のバンドの長手方向に平行に設置しておけば手首の動きの妨げとはならず、洋服の着脱の際に袖口に引っ掛かることもなくなる。
【０００８】
また、時計本体は時計バンドの一部である台座上で軸を介して結合し、扇状に回転移動するだけなので、蝶番あるいはスライド式の可動部と比較して、機械的強度が高いため、外部からの強い衝撃によって容易に時計本体が外れたり、損壊することがない腕時計の提供が可能となる。
【０００９】
更には、本発明の腕時計はデザイン的にも優れ、時計本体の表面の時刻表示部と並んで装飾品を設置すれば、アクセサリーとしての装飾効果もある。更には、時計本体に太陽電池を組み込めば、電池交換不要の時計を提供することも可能となる。
【図面の簡単な説明】
【００１０】
【図１】本発明の腕時計の機能を説明するための外観斜視図及び平面図である。
【図２】本発明の腕時計の時計本体の構造を示す外観斜視図である。
【図３】本発明の腕時計のバンドの構造を示す外観斜視図である。
【図４】本発明の腕時計の時計本体とバンドとの関係を説明するための外観斜視図である。
【図５】本発明の腕時計の時計本体とバンドとの関係を説明するための模式断面図である。
【図６】本発明の腕時計の使用例を示す平面図である。
【図７】本発明の腕時計の他の実施例を示す外観斜視図である。
【図８】本発明の腕時計の他の実施例を示す外観斜視図である。
【発明を実施するための形態】
【００１１】
以下、添付図面を参照しながら、本発明の好適な実施形態について詳細に説明する。なお、図面の説明において、同一又は相当要素には同一の符号を付し、重複する説明は省略する。
【実施例】
【００１２】
（実施例１）
図１は、本発明の実施例１における腕時計の外観斜視図及び平面図である。図２は、本発明の実施例１の時計本体構造を示す外観斜視図である。図３は、本発明の実施例１の腕時計のバンド構造を示す外観斜視図である。図４は、本発明の実施例１の腕時計の時計本体とバンドとの関係を示す外観斜視図である。図５は、本発明の実施例１の腕時計の時計本体とバンドとの関係を示す模式断面図である。図６は、本発明の実施例１の腕時計の使用例を示す平面図である。
【００１３】
まず、本実施例１の腕時計の構成について説明する。本実施例１の腕時計は、図１に示すように、表面に時刻表示部３０を有する時計本体１０と、時計本体１０を支持するバンド２０とからなり、時計本体１０がバンド２０の一部である駒２３表面に対して、円弧状に水平に回転移動し、所定の位置で固定することができる。図１（ａ）は回転させる前の通常状態であり、バンド２０の長手方向と時刻表示部３０の１２時−６時方向が一致するようにして固定されている。この状態では、長袖の洋服を着た場合、時計本体１０は長袖の中に隠れており、時刻を瞬時に知ることはできない。同図（ｂ）は、バンド２０の長手方向に対して時刻表示部３０の１２時−６時方向を所定の角度で傾斜させた状態であり、この時、時刻表示部３０の少なくとも一部がバンド２０の幅方向に突出している。この状態では、長袖から時刻表示部３０を覗かせておくことができ、作業中でも袖口を捲くらずに手首部分に視線を向けるだけで容易に時刻を知ることが可能となる。同図（ｃ）は同図（ｂ）を上方から見た平面図であり、時計本体１０が円弧状に水平に回転移動し、傾斜して固定されていることがわかる。
【００１４】
次に本実施例１の腕時計の各構成部品について説明する。図２は時計本体１０であり、時計本体１０裏面には、水平方向に回転移動する時計本体１０の回転範囲を規定するための円弧状の溝１１と、回転可能な軸を嵌合するための穴１２が設けられている。また、図３は本実施例１のバンド２０であり、バンド２０の駒２３には、時計本体１０を取り付けるための回転可能な軸２２と、円弧状の溝１１に係合する突起２１とを有している。
【００１５】
次に、図４と図５に基づいて、突起２１と回転可能な軸２２の具体的な構成と、時計本体１０とバンド２０の組み合わせ構造を説明する。すなわち、駒２３の穴２８にはベアリング２４が収納され、穴の上面側から回転可能な軸２２が挿入されると共に、穴の下面側からネジ２５が挿入され、軸２２にネジ２５を螺合することにより、軸２２はベアリング２４によって回転可能に保持されている。そして、軸２２を保持したベアリング２４は、穴２８に螺合するキャップ２６によって穴２８内に収納固定されている。
【００１６】
次に、突起２１は円弧状の溝１１の底面に圧接する弾性ピボットを採用している。図５に示すように突起２１は駒２３の穴２９に下面側から収納配置され、穴２９に螺合する固定ネジ２７によって穴２９内に収納固定されている。
回転可能な軸２２が時計本体１０の下面に設けた穴１２に対して圧入固定されると共に、突起２１は円弧状の溝１１に係合されている。図２に示すように円弧状の溝１１の底面には、突起２１の弾性ピボットが嵌り、所定の水平角度位置で時計本体１０を位置決めするための凹部１３、１４を有している。
【００１７】
以上の構成を採用することにより、本実施例１の腕時計は、図１（ａ）に示すようにバンド２０の長手方向に対して、時刻表示部３０の１２時−６時方向が一致する通常状態と、バンド２０の長手方向に対して、時刻表示部３０の１２時−６時方向が所定の角度を有する傾斜状態とを切り替えることができる。傾斜状態のときには、時刻表示部３０の少なくとも一部をバンド２０の幅方向に突出して固定することができる。したがって、図６の本実施例１の腕時計の使用例でわかるように、時刻表示部３０を袖口２００から覗かせることが可能である。また、回転可能な軸２２と円弧状の溝１１と突起２１は、従来例の蝶番あるいはスライド式と比較し、機械的強度が強く、外部からの強い衝撃によって容易に時計本体が外れたり、損壊しにくい構造である。さらに、円弧状に回転できる角度は任意であるが、作業時の腕の角度および視線の位置からバンドの長手方向と１２時−６時方向とのなす角度は４５度付近が適当である。
【００１８】
また、回転可能な軸２２は時刻表示部３０の中心から外れた位置に設けることが好ましい。例えばアナログ時計の場合なら指針の回転中心から外れた位置であり、デジタル時計なら、デジタル表示装置の中央から外れた位置である。本実施例１では、回転可能な軸２２を嵌合するための穴１２を時刻表示部３０から離れた時計本体１０裏面の下方部に設けることにより、より少ない角度で時刻表示部３０をバンドの幅方向に大きく突出させて、袖口から覗かせることを可能にしている。
【００１９】
また、図５に示すように、回転可能な軸２２と突起２１は、時計ムーブメントを収納するための裏蓋６０を避けた位置に設けられている。この構造を採用することにより、時計本体１０を傾斜させれば、電池交換時にバンド２０が裏蓋６０を邪魔することがなくなり、容易に電池交換ができる。
【００２０】
また、本実施例１では、バンド２０の一部である駒２３を貫通させて、突起２１を突出させたが、これに限るものではなく、時計本体１０とバンド２０のどちらか一方に突起２１を設け、他方に円弧状の溝１１を設けても良い。
【００２１】
（実施例２）
図７は、本発明の腕時計の第２の実施例を示している。すなわち、時計本体１０の表面
の時刻表示部３０から外れた、空いている領域を利用して、ダイヤモンドや輝石などの宝飾品を設置し、装飾品としての機能を持たせている。図７では、時刻表示部３０から外れた時計本体１０の下方部に装飾部材４０を設置してある。このように本発明の腕時計はデザイン性を向上させるための装飾を施すことが可能となり、時計本体１０の表面の時刻表示部３０と並んで装飾部材４０を設ければ、アクセサリーとしての装飾効果も発揮させることができる。
【００２２】
（実施例３）
図８は、本発明の腕時計に第３の実施例を示している。すなわち、時計本体１０の表面の時刻表示部３０から外れた、空いている領域を利用して、太陽電池５０を組み込むことにより、電池交換不要の腕時計を可能にする。本実施例では、面で受光する太陽電池５０を示しているが、これに限定するものではない。
【００２３】
以上、本発明の実施形態について説明したが、本発明は、かかる実施形態に限定されるものではない。例えば、実施例１では、回転可能な軸２２を嵌合するための穴１２は、時刻表示部３０から離れた時計本体１０裏面の下方部に設けたが、これに限定するものではなく、裏蓋６０に穴１２を設けても良い。また、時計本体１０に電波受信用アンテナを内蔵させれば、時刻修正機能を具備させることも可能である。その他、時計本体１０を利用して、種々の機能を付加させることが可能である。更に、本発明の時刻表示部３０はアナログ表示としたが、デジタル表示でも良い。
【符号の説明】
【００２４】
１０  時計本体
１１  円弧状の溝
１２  回転可能な軸を取り付けるための穴
１３，１４  凹部
２０  バンド
２１  突起
２２  回転可能な軸
２４  ベアリング
３０  時刻表示部
４０  装飾部材
５０  太陽電池
６０  裏蓋
１００  手
２００  袖口
【図１】
2012211864.tif 000003
【図２】
2012211864.tif 000004
【図３】
2012211864.tif 000005
【図４】
2012211864.tif 000006
【図５】
2012211864.tif 000007
【図６】
2012211864.tif 000008
【図７】
2012211864.tif 000009
【図８】
2012211864.tif 000010